(57)【特許請求の範囲】
【請求項１】
サンプリング周波数と記録基準信号の周波数との関係が整数比でないディジタル情報信号を記録するディジタル信号記録装置において、
上記記録基準信号の各周期でのディジタル情報信号のサンプルデータ数を、上記サンプリング周波数を上記記録基準信号の周波数で除算して得られる商に近い整数値である標準サンプルデータ数と複数の差分とによって得られる、上記標準サンプルデータ数より大きい複数のサンプルデータ数と、上記標準サンプルデータ数より小さい複数のサンプルデータ数とに設定するサンプルデータ数設定手段と、
設定された上記大きい複数のサンプルデータ数および上記小さい複数のサンプルデータ数を識別するための複数の識別信号を発生する識別信号発生手段と、
上記サンプルデータ数と、上記サンプルデータ数を識別するための識別信号とをそれぞれ所定領域にともに記録する記録手段とを備え、
上記記録基準信号の複数周期期間に上記サンプルデータ数設定手段により設定されたサンプルデータ数の平均値が、上記標準サンプルデータ数と等しくなる
ようにしたことを特徴とするディジタル信号記録装置。
【請求項２】
サンプリング周波数と記録基準信号の周波数との関係が整数比でないディジタル情報信号を記録するディジタル信号記録再生装置において、
上記記録基準信号の各周期でのディジタル情報信号のサンプルデータ数を、上記サンプリング周波数を上記記録基準信号の周波数で除算して得られる商に近い整数値である標準サンプルデータ数と複数の差分とによって得られる、上記標準サンプルデータ数より大きい複数のサンプルデータ数と、上記標準サンプルデータ数より小さい複数のサンプルデータ数とに設定するサンプルデータ数設定手段と、
設定された上記大きい複数のサンプルデータ数および上記小さい複数のサンプルデータ数を識別するための複数の識別信号を発生する識別信号発生手段と、
上記サンプルデータ数と、上記サンプルデータ数を識別するための識別信号とをそれぞれ所定領域にともに記録する記録手段とを有する記録部と、
再生された信号を復調する信号復調手段と、
復調された上記信号のうちディジタル情報信号および識別信号を検出する信号検出手段と、
検出された上記識別信号に基づいて分周器を切り換えて再生同期信号と同期したクロック信号を生成するクロック信号生成手段と、
生成された上記クロック信号に基づいて記録された上記ディジタル情報信号を再生する信号再生手段とを有する再生部とを備え、
上記記録基準信号の複数周期期間に上記サンプルデータ数設定手段により設定されたサンプルデータ数の平均値が、上記標準サンプルデータ数と等しくなる
ようにしたことを特徴とするディジタル信号記録再生装置。
【発明の詳細な説明】
【０００１】
【産業上の利用分野】
この発明は、例えば、ディジタル信号を回転磁気ヘッドにより、磁気記録媒体へ記録する、ディジタル信号記録装置およびディジタル情報信号記録再生装置に関する。
【０００２】
【発明の概要】
この発明は、ディジタル信号を記録するためのサンプリング周波数と、装置内部の記録するための基準信号（以下、記録基準信号と称する）の周波数が、整数比でないディジタル信号記録装置において、磁気記録媒体（以下、磁気テープと称する）へ記録されたディジタル信号のサンプルデータの積算値と、入力ディジタル信号のサンプルデータの積算値とが、等しくなるように、記録されたサンプルデータの数値を判別し、その記録されたサンプルデータを示す識別信号が入力ディジタル信号と共に記録される。
【０００３】
また、これら識別信号を生成する回路がインターリーブ・アドレス発生回路の一部として構成され、例えば、入力ディジタル信号としてオーディオ信号と映像信号が共に記録されるような場合、夫々の信号が支障無く同期し、再生することを可能にしたディジタル信号記録装置である。
【０００４】
【従来の技術】
本願出願人は、特願平５−４８５７３号において、ディジタル信号記録装置を提案した。この提案は、磁気テープへ記録されるディジタル信号のサンプリング周波数と、記録基準信号の周波数が整数比と異なる、すなわち２種類の周波数を持つディジタル信号記録装置について記されている。このディジタル信号記録装置は、記録時において、サンプリング周波数を記録基準信号の周波数、或いは、記録基準信号の周波数の整数倍の周波数で除算することにより得られた商から、その商より適当に大きいＥデータサンプル（Excess data sample）と、その商より適当に小さいＤデータサンプル（Diminished data sample）の数値が予め設定される。
【０００５】
この設定された値を計測する計測カウンタの出力パルスをリセットとし、記録基準信号の立ち上がりエッジ、或いは、立ち下がりエッジのパルスをセットとするフリップフロップを設けることにより、そのフリップフロップの出力信号を記録基準信号の一周期の時間内にサンプルホールドし、記録されるディジタル信号と共に、そのサンプルホールドされた記録基準信号を識別信号の一つとして、記録する手法であった。
【０００６】
すなわち、上述の識別信号から記録基準信号の一周期内に記録されるサンプルデータが判別され、識別信号として磁気テープへ記録されたサンプルデータの積算値と、入力ディジタル信号のサンプルデータの積算値とが等しくなるように、記録されるサンプルデータを判別すると共に、記録されるサンプルデータ、すなわち識別信号とデータ信号とを共に記録する。
【０００７】
再生時には、この識別信号を検出判別し、記録基準信号と同一周期の再生基準信号の一周期において、記録時と同じサンプルデータが出力されるようにサンプリング周波数ｆｓ系クロック生成ＰＬＬ回路を制御し、例えば、ビデオ信号と入力されるディジタル信号としてオーディオ信号と識別信号とを共に、記録するような場合、夫々の信号が支障なく同期して再生できる。
【０００８】
【発明が解決しようとする課題】
しかしながら、従来のテレビジョンの一般的なＮＴＳＣ方式のビデオ信号の他に、例えば、コンピュータを使用したテレビゲーム等のような信号も同時に取り扱うようには、記録基準信号の偏差において、ＮＴＳＣ方式のビデオ信号と、テレビゲームとを比較すると、テレビゲームの記録基準信号の偏差が大きくなるため、上述のＥデータサンプルと、Ｄデータサンプルの２つの数値を大きく設定する必要がある。
【０００９】
この２つの数値が設定されると再生側のサンプリング周波数ｆｓ系クロック生成ＰＬＬ回路の制御範囲が広くなるため、サンプリング周波数ｆｓ系クロック生成ＰＬＬ回路で生成されるｆｓクロックのいわゆるジッターが増加し、再生音声信号のＡ／Ｄ変換信号のＷ／Ｆ（ワウフラッター）が劣化する。ここで、図面を用いて、上述の概要説明を行う。
【００１０】
また、この説明は、以下の順序でなされる。
（１）記録側の動作例説明
（２）再生側の動作例説明
（３）サンプリング周波数ｆｓ系クロック生成ＰＬＬ回路の動作例説明
（４）音声信号、およびビデオ信号の記録／再生信号処理のタイミング動作例説明
【００１１】
（１）記録側の動作例説明
図１５は、記録システムの概略を示す、ブロック図の一例である。入力端子１３１からビデオ信号Ｖが供給され、供給されたビデオ信号Ｖは、記録基準信号生成回路１３６、およびビデオ用Ａ／Ｄ変換回路１３３へ供給される。記録基準信号生成回路１３６では、フレーム周波数に相当する記録基準信号ＦＬＩＤが生成され、生成された記録基準信号ＦＬＩＤは、端子１３７を介して図示されていない記録サーボ回路およびＥ／Ｄ  ＩＤ生成回路１３８へ供給される。
【００１２】
記録基準信号ＦＬＩＤが供給されたＥ／Ｄ  ＩＤ生成回路１３８では、後述する音声用Ａ／Ｄ変換回路１３９で用いられているｆｓクロックが音声用Ａ／Ｄ変換回路１３９から供給され、ビデオ信号Ｖの１フレーム内の時間で入力端子１３２から供給される音声信号Ａが、Ｅデータサンプル、或いは、Ｄデータサンプルの数値の何れのデータサンプルが行われているかが判別され、その判別結果に対応したＩＤ信号が生成される。
【００１３】
ビデオ用Ａ／Ｄ変換系１３３へ供給されたビデオ信号Ｖは、Ａ／Ｄ変換され、記録ビデオ信号処理回路１３４へ供給される。記録ビデオ信号処理回路１３４では、ディジタル化が施されたビデオ信号Ｖに帯域圧縮、再生時の誤り訂正用のパリティ付加、インタリーブ処理等の信号処理がなされる。
【００１４】
入力端子１３２から供給された音声信号Ａは、音声用Ａ／Ｄ変換回路１３９へ供給され、Ａ／Ｄ変換が施される。Ａ／Ｄ変換された音声信号Ａは、記録音声信号処理回路１４０へ供給され、再生時の誤り訂正用のパリティ付加、インタリーブ処理等の信号処理がなされる。また、Ｅ／Ｄ  ＩＤ生成回路１３８で生成されたＩＤ信号は、記録音声信号処理回路１４０へ供給され、この回路内のメモリのメモリマップ上のＩＤ書き込み領域に書き込まれ、音声信号Ａと共に、インタリーブされる。
【００１５】
記録ビデオ信号処理回路１３４および記録音声信号処理回路１４０から変調回路１３５へ信号が供給され、供給された夫々の信号は、高密度ディジタル磁気記録に適した、変調がなされ、記録アンプ回路１４１へ供給される。変調が施されたビデオ信号Ｖと音声信号Ａは、記録アンプ回路１４１において増幅され、記録ヘッド１４２を介して磁気テープ１４３上の記録すべき所定の領域へ記録される。
【００１６】
（２）再生側の動作例説明
次に、再生側の動作例について、図１６に示すブロック図の一例を用いて概略説明する。磁気テープ１４３に記録されている信号は、再生ヘッド１５１を介して再生され、その再生された信号は、再生アンプ回路１５２において増幅される。増幅された再生信号は、再生等化／復調回路１５３において、再生等化処理および復調信号処理がなされる。
【００１７】
再生等化および復調された再生ビデオ信号は、再生ビデオ信号処理回路１５４へ供給され、また、再生等化および復調された再生音声信号は、再生音声信号処理回路１５７へ供給される。再生ビデオ信号処理回路１５４では、誤り訂正、デインタリーブおよび記録時に帯域圧縮された再生ビデオ信号が伸張された後、ビデオ用Ｄ／Ａ変換回路１５５へ供給される。ビデオ用Ｄ／Ａ変換回路１５５へ供給された再生ビデオ信号は、アナログビデオ信号として、ビデオ信号出力端子１５６へ出力される。
【００１８】
再生等化／復調回路１５３において、再生等化および復調された再生音声信号は、再生音声信号処理回路１５７へ供給され、誤り訂正、デインタリーブ等の信号処理がなされると共に、ＩＤ信号が検出され、検出されたＩＤ信号は、Ｅ／ＤＩＤ判別回路１５９へ供給される。Ｅ／Ｄ  ＩＤ判別回路１５９では、再生中のフレーム内の再生音声信号がＥデータサンプルか、Ｄデータサンプルかを判別し、サンプリング周波数ｆｓ系クロック生成ＰＬＬ回路１６０内の分周回路を切り換えることにより制御される。
【００１９】
上述と同様に、このサンプリング周波数ｆｓ系クロック生成ＰＬＬ回路１６０で生成された、ｆｓクロックは、再生基準信号生成回路１６１において、生成された再生基準信号ＰＢ  ＦＬＩＤと同期し、音声用Ｄ／Ａ変換回路１５８へ供給される。音声用Ｄ／Ａ変換回路１５８では、この再生基準信号と同期したｆｓクロックを用いて、再生データは、Ｄ／Ａ変換され、アナログ音声信号として、音声信号出力端子１６２から出力される。
【００２０】
（３）サンプリング周波数ｆｓ系クロック生成ＰＬＬ回路の動作例説明
ここで、サンプリング周波数ｆｓ系クロック生成ＰＬＬ回路１６０の構成の一例を示すブロック図を図１７に示し、説明する。再生基準信号生成回路１６１で生成された、フレーム周波数に相当する再生基準信号ＰＢ  ＦＬＩＤは、端子１７１を介して、位相比較回路１７２へ供給される。
【００２１】
位相比較回路１７２の出力信号は、ローパスフィルタ１７３へ供給され、そのローパスフィルタ１７３の出力信号は、エラー電圧信号として、ＶＣＯ１７４へ供給され、ＶＣＯ１７４を制御する。ＶＣＯ１７４において、生成されたｆｓクロックは、再生基準信号ＰＢ  ＦＬＩＤに同期したクロックとして、端子１７９を介して音声用Ａ／Ｄ変換回路１５８へ供給されると共に、ＶＣＯ１７４で生成されたｆｓクロックは、Ｅデータ分周回路１７５およびＤデータ分周回路１７６へ供給される。
【００２２】
この２つの分周回路１７５および１７６の出力信号は、切り換えスイッチ１７７へ供給され、切り換えスイッチ１７７は、端子１７８を介してＥ／Ｄ  ＩＤ判別回路１５９から切り換えスイッチ１７７を制御するための識別信号が供給され、スイッチが切り替えられる。すなわち、再生中のフレームがＥデータサンプルのフレーム（以下、Ｅデータフレームと称する）の場合、Ｅ／Ｄ  ＩＤ判別回路１５９から `１' が供給され、Ｅデータ分周回路１７５が切り換えスイッチ１７７において、選択され、また、Ｄデータサンプルのフレーム（以下、Ｄデータフレームと称する）の場合、 `０' が供給され、Ｄデータ分周回路１７６が切り換えスイッチ１７７において、選択される。選択された信号は、位相比較回路１７２へ供給され、位相比較回路１７２において、再生基準信号ＰＢ  ＦＬＩＤと位相比較される。
【００２３】
（４）音声信号、およびビデオ信号の記録／再生信号処理のタイミング動作例説明
図１８は、上述の従来のシステムの音声信号およびビデオ信号の記録再生信号処理タイミング関係の概念図である。図１８Ａは、記録側の信号を示し、ここで、記録基準信号ＦＬＩＤがある場合、音声信号ＡＳＧのサンプルデータは、同図に示すようにＥデータフレームと判別される。すなわち、最初のフレーム区間Ｆ１に相当する音声信号ＡＳＧは、次のフレーム区間Ｆ２に相当する記録基準信号ＦＬＩＤの立ち上がりエッジ以後にＥデータフレームの最後のサンプル時点があるため、Ｅデータフレームのサンプルデータとなる。
【００２４】
このため、次のフレーム区間Ｆ２に相当する音声信号ＡＳＧは、Ｄデータフレームのサンプルデータとなる。このフレーム区間Ｆ２のＤデータサンプルの最後のサンプル時点が次のフレーム区間Ｆ３に相当する記録信号ａの立ち上がりエッジ以前にあるので、このフレーム区間Ｆ３は、Ｅデータフレームのサンプルデータとなる。以後のフレーム区間のサンプルデータも同様に判別される。
【００２５】
すなわち、フレーム区間に相当する記録基準信号ＦＬＩＤの立ち上がりエッジを基準にして、音声信号ＡＳＧの最後のサンプル時点が、その立ち上がりエッジ以後にある場合、次のフレーム区間に相当する音声信号ＡＳＧのサンプルデータは、Ｄデータフレームと判別される。また、音声信号ＡＳＧの最後のサンプル時点がその立ち上がりエッジ以前にある場合、次のフレーム区間に相当する音声信号ＡＳＧのサンプルデータは、Ｅデータフレームと判別される。
【００２６】
以上のように、Ｅデータフレーム或いは、Ｄデータフレームのサンプルデータと判別された音声信号ＡＳＧは、上述した種々の信号処理系において、信号処理が施された後、時間圧縮される。例えば、最初のフレーム区間Ｆ１に相当する音声信号ＡＳＧは、同図の書き込み信号ＷＳＧのＡ１の時点へ出力され、フレーム区間Ｆ２に相当する音声信号ＡＳＧは、書き込み信号ＷＳＧのＡ２の時点へ出力される。これは、図３Ｂに示す磁気テープ上の音声記録領域Ａｕｄｉｏへ夫々記録される。
【００２７】
ここで、ビデオ信号ＶＳＧの処理タイミングの説明を行う。例えば、フレーム区間Ｆ１のビデオ信号ＶＳＧは、上述した種々の信号処理の後、時間圧縮が施され、対応する音声信号ＡＳＧのフレーム区間Ｆ１と同様に書き込み信号ＷＳＧに示すＶ１の時点へ出力され、フレーム区間Ｆ２に相当するビデオ信号ＶＳＧは、Ｖ２の時点へ出力される。このビデオ信号ＶＳＧも音声信号ＡＳＧと同様に、図３Ｂに示す磁気テープ上のビデオ記録領域Ｖｉｄｅｏへ夫々記録される。
【００２８】
次に、再生側の信号の処理タイミングについて図１８Ｂを用いて説明する。再生記録信号ＰＢ  ＦＬＩＤを示し、図１８Ａに示す書き込み信号ＷＳＧのＡ１の時点の時間圧縮された音声信号ＡＳＧは、時間伸張され、フレーム区間Ｆ０１に相当する再生音声信号ＰＢ  ＡＳＧへ出力される。記録時に、このフレーム区間は、Ｅデータフレームであったので、サンプリング周波数ｆｓ系クロック生成ＰＬＬ回路１６０に含まれる切り換えスイッチ１７７が制御され、このフレーム区間Ｆ０１に相当する再生音声信号ＰＢ  ＡＳＧへＥデータフレームのサンプルデータが出力される。
【００２９】
同様に、書き込み信号ＷＳＧのＡ２の時点の時間圧縮された音声信号ＡＳＧは、時間伸長され、フレーム区間Ｆ０２に相当する再生音声信号ＰＢ  ＡＳＧへ出力される。記録時に、このフレーム区間は、Ｄデータフレームであったので、このフレーム区間Ｆ０２に相当する再生音声信号ＰＢ  ＡＳＧへＤデータフレームのサンプルデータが出力される。すなわち、再生音声信号ＰＢ  ＡＳＧに示すフレーム区間内にＥデータフレームまたは、Ｄデータフレームのサンプルデータを出力する場合、Ｅデータフレームは、Ｄデータフレームより多くのサンプルデータを出力しなければならないため、ｆｓクロックが標準周波数に比べ、やや高くなっており、また、Ｄデータフレームは、Ｅデータフレームより少ないサンプルデータを出力しなければならないためｆｓクロックが標準周波数に比べ、やや低くなっている。
【００３０】
以上のように、従来、偏差の小さい記録基準信号にも対応できるように、ＥデータフレームとＤデータフレームのサンプルデータを設定しておくと、再生時のｆｓクロックの周波数変化幅が大きくなり、音声信号のＷ／Ｆを劣化される要因の一つになる。
【００３１】
【課題を解決するための手段】
この発明は、サンプリング周波数と記録基準信号の周波数との関係が整数比でないディジタル情報信号を記録するディジタル信号記録装置において、記録基準信号の各周期でのディジタル情報信号のサンプルデータ数を、サンプリング周波数を記録基準信号の周波数で除算して得られる商に近い整数値である標準サンプルデータ数と複数の差分とによって得られる、標準サンプルデータ数より大きい複数のサンプルデータ数と、標準サンプルデータ数より小さい複数のサンプルデータ数とに設定するサンプルデータ数設定手段と、設定された大きい複数のサンプルデータ数および小さい複数のサンプルデータ数を識別するための複数の識別信号を発生する識別信号発生手段と、サンプルデータ数と、サンプルデータ数を識別するための識別信号とをそれぞれ所定領域にともに記録する記録手段とを備え、  記録基準信号の複数周期期間にサンプルデータ数設定手段により設定されたサンプルデータ数の平均値が、標準サンプルデータ数と等しくなるようにしたことを特徴とするディジタル信号記録装置である。
また、この発明は、サンプリング周波数と記録基準信号の周波数との関係が整数比でないディジタル情報信号を記録するディジタル信号記録再生装置において、記録基準信号の各周期でのディジタル情報信号のサンプルデータ数を、サンプリング周波数を記録基準信号の周波数で除算して得られる商に近い整数値である標準サンプルデータ数と複数の差分とによって得られる、標準サンプルデータ数より大きい複数のサンプルデータ数と、標準サンプルデータ数より小さい複数のサンプルデータ数とに設定するサンプルデータ数設定手段と、設定された大きい複数のサンプルデータ数および小さい複数のサンプルデータ数を識別するための複数の識別信号を発生する識別信号発生手段と、サンプルデータ数と、サンプルデータ数を識別するための識別信号とをそれぞれ所定領域にともに記録する記録手段とを有する記録部と、再生された信号を復調する信号復調手段と、復調された信号のうちディジタル情報信号および識別信号を検出する信号検出手段と、検出された識別信号に基づいて分周器を切り換えて再生同期信号と同期したクロック信号を生成するクロック信号生成手段と、生成されたクロック信号に基づいて記録されたディジタル情報信号を再生する信号再生手段とを有する再生部とを備え、  記録基準信号の複数周期期間にサンプルデータ数設定手段により設定されたサンプルデータ数の平均値が、標準サンプルデータ数と等しくなるようにしたことを特徴とするディジタル信号記録再生装置である。
【００３２】
【作用】
１つのブロックがヘッダー部、データ部、およびパリティ部から構成され、ヘッダー部は、同期用のシンク部、およびＩＤ部から構成される。ＩＤ部は、トラックの識別番号、ブロックの識別番号、およびＩＤ用のパリティ部からなる。データ部は、メインデータとサンプルデータを示す識別信号（Ｅ／Ｄ  ＩＤ）からなる。これらの構成からなるブロックが複数個集まりオーディオＰＣＭ信号の１フレーム分のデータを構成する。
【００３３】
ここで、１フレーム内において、インタリーブが完結されるとき、ビデオ信号として、ＮＴＳＣ方式を用いた場合、フレーム周波数が、２９．９７Hzであり、例えば、サンプリング周波数が４８ｋHzとすると、１フレーム内のサンプルデータは、
４８０００／２９．９７≒１６０１．６
となる。
【００３４】
この求められたサンプルデータの１６０１．６に一番近い整数値、１６０２を標準サンプルデータとして、Ｅデータサンプルは、この標準サンプルデータより１０、および２０大きい数値、すなわち、１６１２、および１６２２を設定し、また、Ｄデータサンプルは、この標準サンプルデータより１０、および２０小さい数値、すなわち１５９２、および１５８２を設定する。これら、設定されたサンプルデータが計測され、その時点でパルスを発生することにより識別信号を生成する。
【００３５】
識別信号によりサンプルデータが選択され、標準サンプルデータより小さい場合、Ｄデータフレームとなり、標準サンプルデータより大きい場合、Ｅデータフレームとなる。この何れかの選択されたフレームに相当する音声信号が１フレーム分のサンプルデータとして、記録される。
【００３６】
従って、１フレーム分のサンプルデータが整数であっても平均値には、上述の除算した標準サンプルデータが書き込まれることになる。これにより、記録基準信号の偏差が、標準信号に比べて、やや大きいサンプルデータにも対応できるようにしても音声信号のＷ／Ｆ等の性能を劣化させることなくビデオ信号と音声信号の同期のずれを防ぐことができる。
【００３７】
また、上述のサンプルデータを計測するカウンタは、記録時のインターリーブ用のバッファメモリのアドレスカウンタを併用することができ効率的なディジタル信号記録装置が構成できる。
【００３８】
再生時は、再生信号から検出されたＩＤ信号により、サンプリング周波数ｆｓ系クロック生成ＰＬＬ回路が制御され、再生基準信号に同期したクロックが生成されるので、記録時と同様の基準信号と、ｆｓクロックとの関係が再生時にも保たれ何ら支障なく、音声信号が再生される。
【００３９】
【実施例】
以下、この発明の実施例について、図面を用いて説明する。ここでは、簡単のため、Ｅ／Ｄ  ＩＤを判別するためのＩＤ信号が２ビットの場合について説明するが、勿論、より多くのビット数を割り当てることも可能であり、多くのビット数を割り当てた場合、より細かくサンプルデータが判別されるため、記録基準信号の偏差の大きいときには、再生時のｆｓクロックのジッターは、更に改善されることとなる。
【００４０】
また、この実施例の説明は、以下の順序に従ってなされる。
（１）ブロック構成例
（２）トラック構成例
（３）フレーム構成例
（４）トラック内インターリーブ例
（５）トラック間インターリーブ例
（６）記録回路のブロック構成例
（７）Ｅ／Ｄ  ＩＤ生成回路の第１の実施例
（８）Ｅ／Ｄ  ＩＤ生成回路の第２の実施例
（９）Ｅ／Ｄ  ＩＤ生成回路の第３の実施例
【００４１】
（１）ブロック構成例
図１は、記録データの１ブロックの構成例を示す、概念図の一例である。１ブロックは、ヘッダー部、メインデータ部、およびＣ１パリティ部から構成される。ブロックの先頭に位置するヘッダー部は、ブロック同期用のシンク（Ｓｙｎｃ）が２バイト、ヘッダーＩＤ（ＩＤ０、ＩＤ１）が２バイト、および、そのヘッダーＩＤ用のパリティ（ＩＤＰ）が１バイト、合計５バイトから構成される。このヘッダーＩＤ０は、下位４ビットにトラックの識別番号（１〜１０）が書き込まれ、ヘッダーＩＤ１は、下位４ビットにブロックの識別番号（１〜１４）が書き込まれている。
【００４２】
メインデータ部は、７８バイトから構成され、データおよびＣ２パリティが書き込まれる。このメインデータ部の先頭の部分は、記録されているフレーム部のサンプルデータがＥデータフレーム、或いはＤデータフレームかを識別するＩＤ信号が書き込まれる領域を有する。Ｃ１パリティ部は、８バイトから構成され、よって１ブロックは、９１バイトから構成される。
【００４３】
（２）トラック構成例
図２は、１トラック内のデータ構成例を示す、概念図の一例である。１トラックは、前半のデータ部が５ブロックからなり、次にＣ２パリティ部が４ブロックあり、その後に、後半のデータ部が５ブロック、すなわち１４ブロックから構成される。
【００４４】
ブロックアドレスＢＡ１〜５のデータ部には、Ｌチャンネル、およびＲチャンネルの偶数番目のサンプルデータが配置（以下、偶数系列と称する）され、ブロックアドレスＢＡ１０〜１４のデータ部には、Ｌチャンネル、およびＲチャンネルの奇数番目のサンプルデータが配置（以下、奇数系列と称する）されている。また、ブロックアドレスＢＡ６〜９のＣ２パリティ部には、ブロックアドレスＢＡ方向にインタリーブされたパリティが生成され、所定の位置へ配置される。
【００４５】
（３）フレーム構成例
図３は、１フレーム内のデータ構成例を示す、概念図の一例である。１フレームは、図３Ａに示すように１０トラックから構成され、トラックＴＲ１〜５へＬチャンネルの信号が記録され、トラックＴＲ６〜１０へＲチャンネルの信号が記録される。また、これらのトラックは、図３Ｂに示すように磁気テープへ記録される。
【００４６】
（４）トラック内インターリーブ例
図４は、トラックへ記録されるデータのインターリーブ例を示す概念図の一例である。ここでは、簡単のため、トラックＴＲ１について、説明する。なお、図４では、前半のデータ部の５ブロックと後半のデータ部の５ブロックが図示されており、Ｃ２パリティ部の４ブロックは、省略れている。また、上述したように、トラックＴＲ１には、Ｌチャンネルのサンプルデータが書き込まれている。
【００４７】
図４に示すこのデータ配列は、縦方向をシンボルアドレスＳＡ方向、横方向をブロックアドレスＢＡ方向とする。ここで、サンプルデータＬ０に注目すると、シンボルアドレスＳＡ方向のデータ配列が
Ｌ０、Ｌ５０、Ｌ１００、Ｌ１５０、Ｌ２００、‥‥
となっており、シンボルアドレスＳＡ方向のインターリーブ長は、５０サンプルである。
【００４８】
また、同様にサンプルデータＬ０に注目すると、ブロックアドレスＢＡ方向のデータ配列が
Ｌ０、Ｌ１０、Ｌ２０、Ｌ３０、Ｌ４０、‥‥
となっていることから、ブロックアドレスＢＡ方向のインターリーブ長は、１０サンプルである。シンボルアドレスＳＡ方向およびブロックアドレスＢＡ方向のインタリーブ長は、偶数系列、奇数系列、および他のトラックＴＲのサンプルデータにおいても同じである。
【００４９】
ここで、上述のように標準サンプルデータを１６０２とし、２ビットから表現されるＩＤ（ｆ１、ｆ２）のサンプルデータの数値を一例として下記のように示す。
（０、０）：１５８２  （Ｄ２データフレーム）
（０、１）：１５９２  （Ｄ１データフレーム）
（１、０）：１６１２  （Ｅ１データフレーム）
（１、１）：１６２２  （Ｅ２データフレーム）
【００５０】
このとき、記録時の基準信号の周波数と、再生時の基準信号の周波数が同じ場合、標準サンプルデータ以外にサンプルデータを設定する必要はない。しかしながら、ディジタル・インタフェース入力を考えた場合、サンプリング周波数は、±１０００ｐｐｍ程度の揺れが起こる場合があるため、少なくともサンプルデータは、この揺れを吸収する幅を有する必要がある。サンプリング周波数ｆｓ＝４８ｋHzとすると、±１０００ｐｐｍの揺れは、４８．０４８ｋHz（＋１０００ｐｐｍ）〜４７．９５２ｋHz（−１０００ｐｐｍ）となり、サンプルデータは、余裕を持って設定する必要がある。
【００５１】
例えば、標準サンプルデータが１６０２、Ｅデータフレームが１６１２、およびＤデータフレームが１５９２とすると、基準信号２９．９７Hzの場合、Ｅデータフレームのサンプリング周波数は、
２９．９７（Hz）×１６１２＝４８．３１（ｋHz）＞４８．０４８（ｋHz）
Ｄデータフレームのサンプリング周波数は、
２９．９７（Hz）×１５９２＝４７．７１（ｋHz）＜４７．９５２（ｋHz）
となり、±１０００ｐｐｍの揺れは、吸収できる。
【００５２】
夫々のサンプルデータは、対応するトラックへインターリーブが施され、書き込まれる。このとき、書き込まれず残された部分には、ダミーデータとして、ヌルデータ（００Ｈ）が書き込まれる。また、ＢＡ５のＳＡ７、およびＢＡ１４のＳＡ７の部分には、後述する、Ｅ／Ｄ  ＩＤ生成回路により生成された、ＩＤ信号が書き込まれる。
【００５３】
（５）トラック間インターリーブ例
図５は、トラック間へ記録されるデータのインターリーブ例を示す概念図の一例である。トラックＴＲ１の偶数系列のサンプルデータＬ０に注目すると、トラック間のデータ配列が
Ｌ０、Ｌ２、Ｌ４、Ｌ６、Ｌ８、‥‥
となっており、トラック間のインターリーブ長は、２サンプルとなっている。
【００５４】
また、トラックＴＲ１の奇数系列のサンプルデータＬ５に注目すると、トラック間のデータ配列が
Ｌ５、Ｌ７、Ｌ９、Ｌ１、Ｌ３、‥‥
となっており、サンプルデータＬ９の次が、サンプルデータＬ１となっている。しかしながら、剰余の概念を導入すれば、何れもトラック間のインターリーブ長は、２サンプルとなっており、規則正しいインターリーブが施されている。
【００５５】
（６）記録回路のブロック構成例
図６は、この発明によるディジタル信号記録装置の記録回路のブロック構成例の一実施例である。この図を用いて、その動作の概要を説明する。１は、入力端子を示し、アナログオーディオ信号が供給される。供給されたアナログオーディオ信号は、音声用のＡ／Ｄ変換回路２において、ローパスフィルタにより帯域制限を行い、アナログオーディオ信号をディジタルオーディオ信号へ変換する。
【００５６】
このＡ／Ｄ変換回路２でＡ／Ｄ変換が施されたディジタル信号は、インタリーブ処理回路４およびＥ／Ｄ  ＩＤ生成回路５へ供給される。インタリーブ処理回路４では、供給されたディジタル信号をインタリーブ処理を施し、バッファを介して、データバスＤＢを通してメモリ３へ書き込まれる。
【００５７】
また、音声用のＡ／Ｄ変換回路２における、ｆｓクロックは、後述する。Ｅ／Ｄ  ＩＤ生成回路５では、供給される記録基準信号ＦＬＩＤを基準として、フィールド内のサンプルデータからＤ１、Ｄ２、Ｅ１、Ｅ２データフレームの何れかを判別し、そのＩＤ信号を生成する。なお、供給された記録基準信号ＦＬＩＤは、フィールドパルスである。生成された２ビットのＩＤ信号は、ＩＤライト用バッファーを介して、データバスＤＢを通して、オーディオデータと共にメモリ３の所定の領域へ書き込まれる。
【００５８】
Ｅ／Ｄ  ＩＤ生成回路５において、判別された結果により、メモリ３へ書き込まれるべきデータの最大アドレスが決定される。そして、Ｅ／Ｄ  ＩＤ生成回路５の出力により、インタリーブアドレス発生回路６が制御される。
【００５９】
また、メモリ３を介して、パリテー生成回路７において、Ｃ１パリティ、およびＣ２パリティが生成され、所定の領域へ書き込まれる。この段階で、メモリ３には、上述した、図２に示すようなインターリーブされたデータと、パリティーが配置されている。
【００６０】
次に、リードアドレス生成回路９において、生成されたアドレスは、アドレスバスＡＢを介して、メモリ３へ供給され、供給されたアドレスにより、メモリ３から時間圧縮され、読み出されたデータは、リードデータ用のバッファを介してチャンネルコーディング８へ供給される。チャンネルコーディング８では、例えば、８−１０変調回路であり、データをランレングス制限し、記録するべきデータをより高密度記録できるように、また、再生時に再生しやすいようにする。チャンネルコーディング８から信号が供給された記録アンプ回路１０では、供給された信号が増幅され、磁気ヘッド１１を介して、記録テープ１２へ記録される。
【００６１】
（７）Ｅ／Ｄ  ＩＤ生成回路の第１の実施例
図７は、このＥ／Ｄ  ＩＤ生成回路５のブロック構成を示す概略図である。端子２１は、記録基準信号ＦＬＩＤが供給され、エッジ検出回路２３では、立ち下がりエッジＬＥ、および立ち上がりエッジＵＥが記録基準信号ＦＬＩＤに基づいて検出される。エッジ検出回路２３において、生成された立ち下がりエッジＬＥは、カウンタ２４へ供給されると共に、立ち上がりエッジＵＥは、フリップフロップ２６へ供給される。カウンタ２４では、供給された立ち下がりエッジＬＥを基準に計測を行い、その出力は、ゲート発生回路２５へ供給される。このゲート発生回路２５では、ゲート信号Ｇａｔｅが生成され、生成されたゲート信号Ｇａｔｅは、フリップフロップ２６へ供給される。
【００６２】
また、端子２２からｆｓクロックが供給され、カウンタ２７において、サンプルデータが計測される。計測されたサンプルデータは、デコード回路２８において、デコードが施され、セレクタ２９へ供給される。ここで、セレクタ２９は、フリップフロップ２６から供給される識別信号Ｆによりサンプルデータを選択する。フリップフロップ２６では、供給されたゲート信号Ｇａｔｅ、立ち上がりエッジＵＥ、およびサンプルデータからＩＤ信号、および識別信号Ｆが生成される。生成されたＩＤ信号は、端子３０から取り出され、識別信号Ｆは、上述のようにセレクタ２９へ供給される。
【００６３】
図８は、この発明による、Ｅ／Ｄ  ＩＤ生成回路５のブロック構成を示す第１の実施例である。図９は、この、ブロック構成例の動作を説明するための、タイミングチャートである。ＩＤ信号は、上述したように、２ビットから構成され、この実施例の構成も２つに分けて動作説明を行う。１つは、Ｅデータフレーム（Ｅ１、Ｅ２データフレーム）か、Ｄデータフレーム（Ｄ１、Ｄ２データフレーム）かを判別する構成が説明され、もう１つは、標準サンプルデータ（１６０２）に対して、より離れたサンプルデータ（Ｄ２データフレーム：１５８２、Ｅ２データフレーム：１６２２）か、より近いサンプルデータ（Ｄ１データフレーム：１５９２、Ｅ１データフレーム：１６１２）かを判別する構成が説明される。
【００６４】
ここで、図８を用いて、Ｅ／Ｄ  ＩＤ生成の動作の概要を説明する。端子３１から供給された記録基準信号ＦＬＩＤは、Ｄフリップフロップ３３へ供給され、その出力は、Ｄフリップフロップ３４、ＯＲゲート３５、およびＡＮＤゲート３６へ供給される。このＯＲゲート３５には、Ｄフリップフロップ３３とＤフリップフロップ３４の出力が供給され、立ち下がりエッジが検出される。また、ＡＮＤゲート３６には、上述のＯＲゲート３５と同様にＤフリップフロップ３３とＤフリップフロップ３４の出力が供給され、立ち上がりエッジが検出される。
【００６５】
ＯＲゲート３５から供給される立ち下がりエッジは、カウンタ３７のロード端子ＬＤへ供給され、カウンタ３７では、立ち下がりエッジを基準に計測を行い、このカウンタ３７の出力は、ゲート発生回路３８へ供給される。このゲート発生回路３８では、ゲート信号Ｇａｔｅが生成され、ＡＮＤゲート４０および増幅器を介してＡＮＤゲート３９へ供給される。また、ＡＮＤゲート３６において、生成される立ち上がりエッジは、第１のセットパルスＳｅｔ１としてＪ−Ｋフリップフロップ４３のＪ端子へ供給される。
【００６６】
端子３２から供給されるｆｓクロックは、カウンタ４５へ供給され、このカウンタ４５は、フレーム区間に記録すべきサンプルデータが計測され、その出力は、次段のサンプルデータのデコード回路へ供給されると共に、選択される。カウンタ４５の出力は、Ｄ１データフレームデコード回路４６（１５９２）、Ｄ２データフレームデコード回路４７（１５８２）、Ｅ１データフレームデコード回路４８（１６１２）、およびＥ２データフレームデコード回路４９（１６２２）へ出力される。
【００６７】
切り換えスイッチ５０は、Ｄ１データフレームデコード回路４６の出力とＤ２データフレームデコード回路４７の出力が供給され、後述する識別信号ｆ２によって、出力を切り換えられる。同様に、切り換えスイッチ５１は、Ｅ１データフレームデコード回路４８の出力とＥ２データフレームデコード回路４９の出力が供給され、後述する識別信号ｆ２によって、出力を切り換えられる。この切り換えスイッチ５０および５１は、連動しており、標準サンプルデータ（１６０２）との差分が小さい方（Ｄ１データ数、Ｅ１データ数）か、大きい方（Ｄ２データ数、Ｅ２データ数）かが選択される。
【００６８】
切り換えスイッチ５２は、切り換えスイッチ５０および５１の出力が供給され、後述する識別信号ｆ１によって、出力を切り換えられる。すなわち、識別信号ｆ１によって、Ｅデータフレームか、Ｄデータフレームかが選択される。また、切り換えスイッチ５２の出力は、第１のリセットパルスＲｅｓｅｔ１として、ＡＮＤゲート３９、および４０、Ｊ−Ｋフリップフロップ４３のＫ端子へ供給されると共に、カウンタ４５のロード端子ＬＤへ供給される。このリセットパルスＲｅｓｅｔ１が供給されたカウンタ４５は、計測が繰り返される。Ｊ−Ｋフリップフロップ４３の出力は、Ｅデータフレームか、Ｄデータフレームかを示す、識別信号ｆ１となり、切り換えスイッチ５２へ供給されると共に、出力端子４４から取り出される。
【００６９】
ゲート発生回路３８で生成されるゲート信号Ｇａｔｅは、記録基準信号ＦＬＩＤの立ち上がりエッジを中心に、Ｄ１データフレームと、Ｅ１データフレームとのサンプルデータの差に相当する幅を持っている。この実施例のサンプルデータは、Ｄ１データフレームが１５９２、Ｅ１データフレームが１６１２であるから、ゲート発生回路３８で生成されるゲート信号Ｇａｔｅは、２０サンプルデータに相当する幅を有する。
【００７０】
ＡＮＤゲート３９では、ゲート発生回路３８から供給されるゲート信号Ｇａｔｅと切り換えスイッチ５２から供給されるリセットパルスＲｅｓｅｔ１から第２のセットパルスＳｅｔ２が検出され、Ｊ−Ｋフリップフロップ４１のＪ端子へ供給される。ＡＮＤゲート４０では、同様にゲート信号ＧａｔｅとリセットパルスＲｅｓｅｔ１が供給され、第２のリセットパルスＲｅｓｅｔ２が検出され、Ｊ−Ｋフリップフロップ４１のＫ端子へ供給される。Ｊ−Ｋフリップフロップ４１は、供給された信号から識別信号ｆ２が検出され、切り換えスイッチ５０および５１へ供給されると共に出力端子４２から取り出される。
【００７１】
ここで、Ｅ／Ｄ  ＩＤ生成のタイミングチャートを図９に示し、説明する。この実施例では、簡単のために初めのフレームは、Ｅ２データフレームとする。また、識別信号ｆ１およびｆ２は、 `１' とする。サンプルデータのデコード回路は、４９に示すＥ２データフレームデコード回路が選択されており、カウンタ４５は、１６２２を計測する。
【００７２】
リセットパルスＲｅｓｅｔ１は、ｂ１に位置し、記録基準信号ＦＬＩＤ、の立ち上がりエッジ（カウント数１６０１．６）に同期するセットパルスｓｅｔ１（ａ１）より後に位置し、Ｊ−Ｋフリップフロップ４３から出力される識別信号ｆ１は、リセットされ、 `０' となる。すなわち、切り換えスイッチ５２へ識別信号ｆ２として `０' が供給されるため、次のフレーム区間のサンプルデータは、Ｄデータフレームとなる。
【００７３】
また、セットパルスＳｅｔ２は、リセットパルスＲｅｓｅｔ１（ｂ１）が、ゲート信号Ｇａｔｅの外側に位置するので、ｃ１の位置に生成されるので、Ｊ−Ｋフリップフロップ４１から出力される識別信号ｆ２は、 `１' の状態のままである。すなわち、切り換えスイッチ５０へ識別信号ｆ２として `１' が供給されるため、次のフレーム区間は、Ｄ２データフレームとなる。
【００７４】
よって、サンプルデータのデコード回路は、Ｄ２データフレームデコード回路４７が、選択されているので、カウンタ４５は、１５８２を計測し、リセットパルスＲｅｓｅｔ１は、ｂ２の位置に生成される。このリセットパルスＲｅｓｅｔ１は、セットパルスＳｅｔ１（ａ２）よりも、後に位置するので、Ｊ−Ｋフリップフロップ４３から出力される識別信号ｆ１は、セットパルスＳｅｔ１（ａ２）の時点で、一度、セットされるが、リセットパルスＲｅｓｅｔ１（ｂ２）の時点で、リセットされ‘０'となる。すなわち、上述と同様に切り換えスイッチ５２へ識別信号ｆ１として‘０'が供給されるため、次のフレーム区間も、Ｄデータフレームとなる。
【００７５】
また、リセットパルスＲｅｓｅｔ１（ｂ２）は、ゲート信号Ｇａｔｅの区間内にあり、リセットパルスＲｅｓｅｔ２は、ｄ１に示すようになるため、Ｊ−Ｋフリップフロップ４１から出力される識別信号ｆ２は、リセットパルスＲｅｓｅｔ２（ｄ１）の時点で、リセットされる。すなわち、切り換えスイッチ５０へ識別信号ｆ２として `０' が供給されるため、次のフレーム区間は、Ｄ１データフレームである。
【００７６】
以後の、フレーム区間においても、識別信号ｆ１およびｆ２は、同様に生成され、フレーム区間内において、それぞれ１度、サンプルホールドされ、２ビットのＩＤ信号として、記録される。この実施例では、最初のフレーム区間を、Ｅ２データフレームとしたが、他のデータフレームとしても、同様に、説明できる。
【００７７】
再生時には、上述した２ビットのＩＤ信号を検出し、このＩＤ信号によって、サンプリング周波数ｆｓクロック生成ＰＬＬ回路に含まれる分周回路の切り換えを制御することにより、Ｅ／Ｄ  ＩＤが検出される。再生フレームにおいて、記録時と同様にサンプルデータが出力される。これにより、記録しようとする、ディジタル信号のサンプリング周波数と、内部の記録信号との周波数が、整数比となっていない、ディジタル信号記録装置においても、精度良く、ビデオ信号と、音声信号との、同期を取ることができる。
【００７８】
（８）Ｅ／Ｄ  ＩＤ生成回路の第２の実施例
図１０は、この発明による、Ｅ／Ｄ  ＩＤ生成回路５の第２の実施例であり、図１１は、このブロック構成例の動作説明をするための、タイミングチャートである。ここで、図１０、および図１１を用いて、その動作を説明する。端子５１から記録基準信号ＦＬＩＤが供給され、Ｄフリップフロップ５２、５３およびＯＲゲート５４からなる、ロジックにより、記録基準信号ＦＬＩＤの立ち下がりエッジが検出され、カウンタ５５のロード端子ＬＤと接続される。カウンタ５５では、この立ち下がりエッジパルスから計測を開始する。
【００７９】
カウンタ５５の計測により、ゲート生成のデコード回路５６〜５９は、図１１に示すようにゲート信号Ｇ１〜Ｇ４が生成される。ゲート信号Ｇ２の区間は、サンプルデータに相当する幅を有し、ゲート信号Ｇ３の区間は、サンプルデータ、１６０２〜２６１２の１０サンプルデータに相当する幅を有している。
【００８０】
図１１に示すように、最初のインタリーブ区間をＤ２データフレームの場合、カウンタ７０と接続された、デコード回路７１〜７４の中から、Ｄ２データフレームデコード回路７２がセレクタ７５により選択される。カウンタ７０は、Ｄ２データフレームである、１５８２を計測し、デコードパルスＤＰがセレクタ７５から出力される。このデコードパルスＤＰは、ＡＮＤゲート６０〜６３へ供給される。
【００８１】
図１１に示すように、セレクタ７５から出力されたデコードパルスＤＰは、ゲート信号Ｇ１の区間に位置するので、Ｊ−Ｋフリップフロップ６４のみがセットされる。すなわち、Ｊ−Ｋフリップフロップ６４〜６７の出力信号を、Ｑ１〜Ｑ４とし、（Ｑ１、Ｑ２、Ｑ３、Ｑ４）とあらわすと、（１、０、０、０）である。
【００８２】
４ビットの信号は、図１１に示すように、サンプルホールド点ａでサンプルホールドされ、次段のエンコーダ６８において、２ビットのＩＤ（１、０）となる。このサンプルホールド後、４つのＪ−Ｋフリップフロップ６４〜６７は、インタリーブ基準信号の立ち下がりエッジでリセットされる。また、２ビットのＩＤ信号は、メインデータと共に、磁気テープの所定の領域へ記録される。
【００８３】
このように、最初のデコードパルスＤＰは、ゲート信号Ｇ１の位置にあり、標準サンプルデータの１６０２に当り、記録基準信号ＦＬＩＤの立ち上がりエッジの前側の一番遠いゲート信号Ｇ１の区間の位置にあるため、磁気テープへ記録される、情報データのサンプルデータの積算値とが、等しくなるためには、次のインタリーブ区間では、Ｅ２データフレームとならなくてはいけない。
【００８４】
エンコーダ６８の出力信号（１、０）は、ＩＤ信号となると共に、セレクタ７５へ識別信号として供給される。この場合、Ｅ２データフレームデコード回路７４が選択される。カウンタ７５は、Ｅ２データフレームである、１６２２を計測する。カウンタ７０は、Ｅ２データフレームである、１６２２を計測する。このデコードパルスＤＰは、ゲート信号Ｇ３の区間に位置するので、Ｊ−Ｋフリップフロップ６６のみがセットされる。すなわち、Ｊ−Ｋフリップフロップ６４〜６７の出力信号は、（０、０、１、０）である。
【００８５】
この４ビットの信号は、図１１に示すサンプルホールド点ａでサンプルホールドされ、次段のエンコーダ６８において、２ビットのＩＤ（１、１）となる。サンプルホールド後、前のインタリーブ区間と同様に、記録基準信号ＦＬＩＤの立ち下がりエッジでリセットされる。そして、２ビットのＩＤ信号は、メインデータと共に、磁気テープの所定の領域へ記録される。
【００８６】
次のインタリーブ区間では、記録基準信号ＦＬＩＤの立ち上がりエッジの後ろの、一番近いゲート区間に位置するため、磁気テープへ記録されたサンプルデータの積算値と、入力ディジタル信号のサンプルデータの積算値とが、等しくなるためには、次のインタリーブ区間では、Ｄ１データフレームとならなくてはいけない。以後のインタリーブ区間においても、上述のように、同様の手順により、ＩＤ信号が生成される。
【００８７】
上述のＩＤ信号の生成手順は、カウンタ７０の前のインタリーブ区間のデコードパルスＤＰの位置により、下記のように整理される。
前の区間                次の区間
Ｇ１  −−−＞  Ｅ２データフレーム (１６２２サンプル）
Ｇ２  −−−＞  Ｅ１データフレーム（１６１２サンプル）
Ｇ３  −−−＞  Ｄ１データフレーム（１５９２サンプル）
Ｇ４  −−−＞  Ｄ２データフレーム（１５８２サンプル）
【００８８】
上述のような、手順により生成された、ＩＤ信号は、磁気テープへ記録されたサンプルデータの積算値と、入力ディジタル信号のサンプルデータの積算値とが、等しくなるように識別された、ＩＤ信号となっている。再生時には、このＩＤ信号を検出して、サンプリング周波数ｆｓクロック生成ＰＬＬ回路に含まれる、分周回路の切り換えを制御するので、ビデオ信号と、音声信号の同期を精度良くとることができ、記録されたサンプルデータのサンプリング周波数と記録基準信号の周波数が整数比でない場合、何ら支障なく良好な状態で、記録再生を行うことができる。
【００８９】
上述では、ゲート区間を４つ設けることによりＩＤ信号が２ビットの場合について、説明を行ったが、ゲート区間を増加することによりＩＤ信号のビット数を増加することも可能である。この発明では、Ｊ−Ｋフリップフロップの数と、計測カウンタのデコード回路をゲートの数だけ増加するだけで、容易に拡張し、適用することができる。また、上述の説明では、サンプルホールド後、エンコード処理を施し、ＩＤ信号を生成したが、逆に、エンコード処理後、サンプルホールドを行って、ＩＤ信号を生成しても良い。
【００９０】
（９）Ｅ／Ｄ  ＩＤ生成回路の第３の実施例
図１２は、この発明のＥ／Ｄ  ＩＤ生成回路５の第３の実施例である。上述の説明では、ＩＤ信号を２ビットとして、説明してきたが、ここでは、ＩＤ信号を３ビット、或いは、さらに多くのビットにした場合、この発明が適用できることを説明する。ＩＤ信号のビット数を増加させると、精度良く、サンプルデータの判別を行うことができ、再生時のｆｓクロック精度が良くなることになる。
【００９１】
この実施例では、一例として、ＩＤ信号を３ビットととし、ＩＤ（ｇ１、ｇ２、ｇ３）または、ＩＤ（ｇ１、ｇ２、ｇ３）と表す。さらに、標準サンプルデータを１６０２とし、この標準サンプルデータを基準に、下記のように、サンプルデータを設定する。
（０、０、０）：  １５９２  （Ｄ１データフレーム）
（０、０、１）：  １５８２  （Ｄ２データフレーム）
（０、１、０）：  １５７２  （Ｄ３データフレーム）
（０、１、１）：  １５６２  （Ｄ４データフレーム）
（１、０、０）：  １６１２  （Ｅ１データフレーム）
（１、０、１）：  １６２２  （Ｅ２データフレーム）
（１、１、０）：  １６３２  （Ｅ３データフレーム）
（１、１、１）：  １６４２  （Ｅ４データフレーム）
【００９２】
ＩＤ（ｇ１、ｇ２、ｇ３）のうちＩＤ（ｇ１）は、上述のように識別信号ｆ１と同様の意味を持つもので、Ｅデータフレームか、Ｄデータフレームかを識別している。最初に、図１２を用いて、ＩＤ（ｇ２、ｇ３）のＩＤ生成の原理について説明する。この２ビットでＥデータフレームと、Ｄデータフレームの１〜４の４つのうち、１つを選択するための識別信号を生成している。ここで、簡単のため、Ｄデータフレームについて、説明する。
【００９３】
図１３において、記録基準信号ＦＬＩＤの立ち上がりエッジを標準サンプルデータ（１６０２）の時点とし、この時点を基準に４つの領域を説明する。すなわち、１つ目の領域は、サンプルデータを１５９２〜１６１１とし、相当する幅を有し、２つ目の領域は、サンプルデータを１５８２〜１５９２とし、相当する幅を有し、３つ目の領域は、サンプルデータを１５７２〜１５８２とし、相当する幅を有し、４つ目は、サンプルデータを１５７２とし、このサンプルデータの時点より前の領域とする。
【００９４】
最初の領域をＧ３、２つ目の領域をＧ２、３つ目の領域をＧ１とする。ここでは、Ｄデータフレームのみを用いるので、前のフレームのサンプルデータの最後の時点は、上述したように、４つの領域の何れかに入ることになり、これにＩＤ（ｇ２、ｇ３）の２ビットを割り当てる。すなわち、図１３Ａに示すように、サンプルデータ（１５７２）より前の領域にある場合、ＩＤ（ｇ１、ｇ２）は、ＩＤ（１、１）となり、次のフレームでは、Ｅ４データフレームとなる。図１３Ｂはのように、サンプルデータ（１５７２〜１５８２）のＧ１の領域にある場合、ＩＤ（ｇ１、ｇ２）は、ＩＤ（０、１）となり、次のフレームでは、Ｅ３データフレームとなる。
【００９５】
図１３Ｃのように、サンプルデータ（１５８２〜１５９２）のＧ２の領域にある場合、ＩＤ（ｇ１、ｇ２）は、ＩＤ（１、０）となり、次のフレームは、Ｅ２データフレームとなる。そして、図１３Ｄのように、サンプルデータ（１５９２〜１６１１）のＧ３領域にある場合、ＩＤ（ｇ１、ｇ２）は、ＩＤ（０、０）となり、次のフレームは、Ｅ１データフレームとなる。
【００９６】
また、Ｅデータフレームか、Ｄデータフレームかは、ＩＤ（ｇ１）により、識別されているので、Ｅデータフレームの場合、同様に考慮すると、すなわち、サンプルデータ（１６１１〜１６２１）に相当する幅の領域Ｇ４と、サンプルデータ（１６２１〜１６３１）に相当する幅の領域Ｇ５を考慮すると、上述のようにＤデータフレームの場合と同様に、ＩＤ（ｇ１、ｇ２）が生成される。以上のように、サンプルデータの最後が何れかの、領域に入るかで、次のフレームのサンプルデータが決まり、上述のように、サンプルデータを制御すれば、最適なサンプルデータの制御を行うことができる。
【００９７】
図１２は、上述のように生成される、Ｅ／Ｄ  ＩＤ生成回路５の第３の実施例となるブロック構成例である。次に、このブロック構成例の、動作説明をする。入力端子８１から供給された記録基準信号ＦＬＩＤは、Ｄフリップフロップ８２、８３、ＮＯＲゲート８４、およびＡＮＤゲート８５へ供給される。記録基準信号ＦＬＩＤの立ち上がりエッジが検出され、これを基準にカウンタ８６において、計測が行われる。これにより、ゲート発生回路８７〜９１で上述したＧ１〜Ｇ２のゲート領域が生成される。
【００９８】
Ｊ−Ｋフリップフロップ１００へ供給される、セットパルスＳ３は、ＮＯＲゲート９２とＡＮＤゲート９６で生成され、リセットパルスＲ３は、ＯＲゲート９３とＡＮＤゲート９７で生成される。このＪ−Ｋフリップフロップ１００の出力信号は、ＩＤ信号の１つである、ＩＤ（ｇ３）となる。
【００９９】
また、Ｊ−Ｋフリップフロップ１０１へ供給される、セットパルスＳ２はＮＯＲゲート９４とＡＮＤゲート９８で生成され、リセットパルスＲ３は、ＯＲゲート９５とＡＮＤゲート９９で生成される。このＪ−Ｋフリップフロップ１０１の出力信号は、ＩＤ信号の１つである、ＩＤ（ｇ２）となる。
【０１００】
次に、Ｅ／Ｄフリップフロップを識別する、ＩＤ信号である、ＩＤ（ｇ１）の生成回路について、その動作と説明をする。ｆｓクロックは、カウンタ１１２から次段に接続されている、デコード回路１１３〜１２０の選択された、サンプルデータまで計測を行う。デコード回路の切り換えスイッチ１２１〜１２４は、上述したＩＤ（ｇ２）により切り換えられる。切り換えスイッチ１２５、および１２６は、ＩＤ（ｇ３）により切り換えられる。
【０１０１】
また、切り換えスイッチ１２７は、ＩＤ信号を識別するＩＤ（ｇ１）により切り換えられ、この切り換えスイッチ１２７の出力信号は、Ｊ−Ｋフリップフロップ１２８のリセットパルスＲ１となる。Ｄフリップフロップ８２、８３、およびＡＮＤゲート８５で生成された、記録基準信号ＦＬＩＤの立ち上がりエッジが検出され、このパルスが、Ｊ−Ｋフリップフロップ１２８のセットパルスＳ１となる。このＪ−Ｋフリップフロップ１２８の出力信号は、Ｅ／Ｄ  ＩＤを識別するＩＤ（ｇ１）となる。
【０１０２】
図１４は、図１２のブロック構成例、すなわち第３の実施例のタイミングチャートである。最初、Ｅデータフレームとすると、最後のサンプルデータ時点は、先に説明した領域Ｇ４に位置する。領域Ｇ４は、記録基準信号ＦＬＩＤの立ち上がりエッジｅ１より、時間的に、後にあるので、ここで、ＩＤ（ｇ１）は、リセットされ `０' となり、次のフレームは、Ｄデータフレームであることが分かる。また、セットパルスＳ２は、領域Ｇ４に位置し、ＩＤ（ｇ２）は、 `１' のままである。
【０１０３】
また、リセットパルスＲ３も領域Ｇ４に位置し、ＩＤ（ｇ３）は、 `０' のままである。これにより、切り換えスイッチ１２１〜１２７が切り換えられ、その結果、次のフレームは、Ｄ２データフレームとなる。すなわち、Ｄ２データフレームデコード回路１１４が選択され、カウンタ１１２は、計測を行い、最後のデータサンプルは、領域Ｇ３となり、次のフレームは、Ｅデータフレームであることが分かる。この時点で、ＩＤ（ｇ２）は、リセットされ、 `０' となるが、ＩＤ（ｇ３）は、変化せず `０' のままである。すなわち、次のフレームは、Ｅ１データフレームとなる。
【０１０４】
以上のように、この発明は、ＩＤ信号を、３ビットにしても、適用することが出来る。さらに、ビット数を増加させることも可能である。
【０１０５】
この実施例では、オーディオ信号を用いたが、オーディオ信号に限らずビデオ信号、静止画、およびスチール画等に対して、この発明を用いることも何ら問題はない。
【０１０６】
さらに、また、この実施例では、サンプリング周波数を４８ｋHzとしたが、４８ｋHzに限らずサンプリング周波数を適用することも可能である。
【０１０７】
【発明の効果】
この発明によれば、記録基準信号のエッジ検出、複数のフリップフロップ、および数ビットのカウンタ等の比較的簡単な構成でビデオ信号と、音声信号の同期用の識別信号を発生させることができる。
【０１０８】
また、サンプリング周波数と記録基準信号の周波数との関係が整数比でないディジタル情報信号を記録するときに、記録されるサンプルデータ数を識別する識別信号を共に記録することができ、さらに再生時に記録されている識別信号を再生することによって共に記録されているサンプルデータ数が変化しても同期を取り、再生することができる。
【図面の簡単な説明】
【図１】この発明のブロックの構成を示す略線図の一例である。
【図２】この発明のトラックの構成を示す略線図の一例である。
【図３】この発明のフレームの構成を示す略線図の一例である。
【図４】この発明のトラック内のインタリーブを示す略線図の一例である。
【図５】この発明のトラック間のインタリーブを示す略線図の一例である。
【図６】この発明の記録側の構成を示すブロック図の一実施例である。
【図７】この発明のＥ／Ｄ  ＩＤ生成回路の概略的なブロック図の一実施例である。
【図８】この発明のＥ／Ｄ  ＩＤ生成回路の構成を示すブロック図の一実施例である。
【図９】この発明のＥ／Ｄ  ＩＤ生成回路のタイミングチャートを示す一例の略線図である。
【図１０】この発明のＥ／Ｄ  ＩＤ生成回路の他の構成を示すブロック図の一実施例である。
【図１１】この発明のＥ／Ｄ  ＩＤ生成回路の他のタイミングチャートを示す一例の略線図である。
【図１２】この発明のＥ／Ｄ  ＩＤ生成回路の変形実施例の構成を示すブロック図の一実施例である。
【図１３】この発明のＥ／Ｄ  ＩＤ生成回路の変形実施例のタイミングチャートを示す一例の略線図である。
【図１４】この発明のＥ／Ｄ  ＩＤ生成回路の変形実施例のタイミングチャートを示す一例の略線図である。
【図１５】従来の記録システムの概略的なブロック図の一例である。
【図１６】従来の再生システムの概略的なブロック図の一例である。
【図１７】従来の再生側のサンプリング周波数ｆｓ系クロック生成ＰＬＬ回路のブロック図の一例である。
【図１８】従来の記録／再生システムのタイミングチャートの略線図の一例である。
【符号の説明】
２３  エッジ検出回路
２４、２７  カウンタ
２５  ゲート発生回路
２６  フリップフロップ
２８  デコード回路
２９  セレクタ
【図１】
0003653741.tif 000002
【図２】
0003653741.tif 000003
【図３】
0003653741.tif 000004
【図４】
0003653741.tif 000005
【図５】
0003653741.tif 000006
【図６】
0003653741.tif 000007
【図７】
0003653741.tif 000008
【図８】
0003653741.tif 000009
【図９】
0003653741.tif 000010
【図１０】
0003653741.tif 000011
【図１１】
0003653741.tif 000012
【図１２】
0003653741.tif 000013
【図１３】
0003653741.tif 000014
【図１４】
0003653741.tif 000015
【図１５】
0003653741.tif 000016
【図１６】
0003653741.tif 000017
【図１７】
0003653741.tif 000018
【図１８】
0003653741.tif 000019